(57)【要約】【課題】省電力動作モードの画像形成装置に対する画像形成処理の準備行為をトリガとして通常動作モードに復帰する画像形成装置を提供する。【解決手段】通常動作モード時には、主電源回路６０からフォトインタラプタ４０（４０Ａ〜４０Ｆ）に電力を供給する。省電力動作モード時には、第１グループに属するフォトインタラプタ４０（４０Ａ，４０Ｃ，４０Ｅ）および第２グループに属するフォトインタラプタ４０（４０Ｂ，４０Ｄ，４０Ｆ）に対して、補助電源回路５０から時分割的に電力が供給される。省電力動作モード時に各フォトインタラプタ４０におけるフォトトランジスタ４２の受光状態が変化すると、電源制御部３０が主電源回路６０を起動するための信号を出力する。【選択図】図６
2005275154.tif 000002
【特許請求の範囲】
【請求項１】
発光素子および受光素子を備え、装置各部の画像形成準備体勢の変化に応じて受光素子の受光状態が変化する複数の光センサと、
装置の動作状態に応じて装置の動作モードを、主電源部を動作させる通常動作モードまたは主電源部を停止させて補助電源部のみを動作させる省電力動作モードのいずれかに切り換える電源制御部と、を備えた画像形成装置であって、
前記複数の光センサは、所定数を１組として複数のグループに分けられており、
前記電源制御部は、省電力動作モードに移行時における前記受光素子の受光状態を記憶し、省電力動作モード時に前記光センサにおける発光素子への電力供給および受光素子の受光状態の検出を各グループ毎に順次行い、その結果いずれかの光センサにおける受光状態が省電力動作モードに移行時の受光状態と相違する場合には、装置の動作状態を通常動作モードに復帰させることを特徴とする画像形成装置。
【請求項２】
通常動作モード時には、前記光センサが複数個、同時に作動していることを特徴とする請求項１に記載の画像形成装置。
【請求項３】
前記光センサは通常動作モード時には主電源部から給電され、かつ、省電力動作モード時には補助電源部から給電されることを特徴とする請求項１または２に記載の画像形成装置。
【請求項４】
前記光センサが、発光素子、受光素子、および両素子間に介在し装置各部の画像形成準備体勢の変化に応じて変位する遮光部材を有するフォトインタラプタであることを特徴とする請求項１〜３のいずれかに記載の画像形成装置。
【請求項５】
同一のグループに属する光センサの発光素子が、前記補助電源部に直列に接続されることを特徴とする請求項１〜４のいずれかに記載の画像形成装置。
【請求項６】
前記受光素子が、エミッタが接地され、かつ、コレクタがオープンにされたフォトトランジスタで構成され、
互いに異なるグループに属するフォトトランジスタのコレクタを接続してワイヤードＯＲが構成され、さらに前記コレクタがプルアップ抵抗に接続されることを特徴とする請求項４に記載の画像形成装置。
【発明の詳細な説明】
【技術分野】
【０００１】
この発明は、入力された画像データに基づいて画像形成処理を行う画像形成装置に関し、特に、通常動作モードと省電力動作モードとが切り換えられる画像形成装置に関する。
【背景技術】
【０００２】
省電力化の要請により、通常動作モードまたは省電力動作モードを適宜切り換えて動作する画像形成装置が増えている。このような画像形成装置では、通常動作モード時に一定時間以上ジョブの指示がされない場合に省電力動作モードに移行し、省電力動作モード時に印刷開始キー等の所定キーが押されると通常動作モードに復帰するように制御されるものが多い。
【０００３】
ところが、省電力動作モードから通常動作モードに復帰させるトリガとなるキーが特定のキーに限定されると、操作に不慣れなユーザが画像形成装置の操作を誤り易くなる。操作に不慣れなユーザの存在を考慮すると、通常動作モードに復帰させるトリガとなるキーはなるべく多い方が好ましい。
【０００４】
そこで、従来技術の中には、省電力動作時にキーマトリクス中のいずれかのキーに対するキー操作を受けてＭＰＵを起動させ、その後のキースキャンを可能にする技術があった（例えば、特許文献１参照。）。
【０００５】
また、他の従来技術として、ラダー抵抗の接続点にキースイッチを配置し、ラダー抵抗の分圧比を変えてＡ／Ｄコンバータに入力するとともに、コンパレータで監視しコンパレータ出力を通常動作モードに復帰するためのトリガとする技術があった（例えば、特許文献２参照。）。
【特許文献１】特開昭６２−１６０５２２号公報
【特許文献２】特開平２０００−２８４８９２号公報
【発明の開示】
【発明が解決しようとする課題】
【０００６】
しかしながら、上述の特許文献１および特許文献２を含む従来技術では、省電力動作モードから通常動作モードに復帰するためのトリガとなる行為がキー操作だけに限定されている。通常動作モードに復帰するためのトリガとなる行為がキー操作だけに限定される場合、画像形成装置の原稿台を開けたり、用紙の補充を行うなどユーザが画像形成処理の準備をしているときでも、画像形成装置が省電力動作モードのままである。省電力動作モードを解除するか否かは、本来、画像形成装置に対する操作を行う態勢が整っているか否かに基づいて判断されることが望ましい。
【０００７】
この発明の目的は、省電力動作モードの画像形成装置に対する画像形成処理の準備行為をトリガとして通常動作モードに復帰する画像形成装置を提供することである。
【課題を解決するための手段】
【０００８】
この発明は以下の構成を備えている。
【０００９】
（１）発光素子および受光素子を備え、装置各部の画像形成準備体勢の変化に応じて受光素子の受光状態が変化する複数の光センサと、
装置の動作状態に応じて装置の動作モードを、主電源部を動作させる通常動作モードまたは主電源部を停止させて補助電源部のみを動作させる省電力動作モードのいずれかに切り換える電源制御部と、を備えた画像形成装置であって、
前記複数の光センサは、所定数を１組として複数のグループに分けられており、
前記電源制御部は、省電力動作モードに移行時における前記受光素子の受光状態を記憶し、省電力動作モード時に前記光センサにおける発光素子への電力供給および受光素子の受光状態の検出を各グループ毎に順次行い、その結果いずれかの光センサにおける受光状態が省電力動作モードに移行時の受光状態と相違する場合には、装置の動作状態を通常動作モードに復帰させることを特徴とする。
【００１０】
本発明に係る画像形成装置は、装置各部の画像形成準備体勢を検出するための光センサと装置の動作モードの切換を行う電源制御部とを備えている。
【００１１】
装置各部の画像形成準備体勢とは、画像形成処理の準備作業に関連する装置各部の状態をいう。光センサの検出内容の例として、原稿カバーの開閉状態、原稿載置台上や手差しトレイ上のシート載置状態、給紙カセットの挿脱状態、給紙カセットにおける用紙載置状態等が挙げられる。
【００１２】
電源制御部は、省電力動作モード時に、装置各部の画像形成準備体勢の変化をトリガにして省電力動作モードを解除する。例えば、省電力動作モード時における原稿カバーの開閉状態が省電力動作モードに移行時の状態と相違するときには、省電力動作モードが解除され通常動作モードに復帰する。これは、画像形成準備体勢が省電力動作モードに移行時と相違するときには、ユーザが画像形成処理の準備をしている可能性が高いことを考慮したものである。
【００１３】
（２）通常動作モード時には、前記光センサが複数個、同時に作動していることを特徴とする。
【００１４】
（３）前記光センサは通常動作モード時には主電源部から給電され、かつ、省電力動作モード時には補助電源部から給電されることを特徴とする。
【００１５】
（４）前記光センサが、発光素子、受光素子、および両素子間に介在し装置各部の画像形成準備体勢の変化に応じて変位する遮光部材を有するフォトインタラプタであることを特徴とする。
【００１６】
この構成においては、装置各部の画像形成準備体勢の変化に応じて変位するように設けられた遮光部材の移動をトリガにして、省電力動作モードが解除される。遮光部材は、発光素子と受光素子との間の光路上に突出する位置またはこの光路から退避する位置の間に移動自在にされており、原稿カバー、用紙、給紙カセット等から力を加えられることにより変位する。
【００１７】
（５）同一のグループに属する光センサの発光素子が、前記補助電源部に直列に接続されることを特徴とする。
【００１８】
この構成においては、同一グループに属する光センサの発光素子のそれぞれが別個に補助電源回路に接続されるのではなく、同一のグループに属する光センサの発光素子が補助電源回路に直列接続されている。
【００１９】
（６）前記受光素子が、エミッタが接地され、かつ、コレクタがオープンにされたフォトトランジスタで構成され、
互いに異なるグループに属するフォトトランジスタのコレクタを接続してワイヤードＯＲが構成され、さらに前記コレクタがプルアップ抵抗を介して前記補助電源回路に接続されることを特徴とする。
【００２０】
この構成においては、互いに異なるグループに属するフォトトランジスタのコレクタがワイヤードＯＲされ、さらにプルアップ抵抗に接続される。
【発明の効果】
【００２１】
この発明によれば、以下の効果を奏することができる。
【００２２】
（１）省電力動作モードの画像形成装置に対する画像形成処理の準備行為をトリガとして、画像形成装置の動作モードを通常動作モードに復帰させることができる。発光素子を時分割に間欠駆動することにより、間欠駆動を使用しないときよりも消費電力を減らすことができる。
【００２３】
（２）通常動作モード時には複数個の光センサを作動させることにより複数の光センサを常時監視することが可能となり、時分割による間欠動作に対応するための待ち時間で無く、即座に光センサに応じた動作が可能になる。また、省電力動作モード時には省電力動作モードの解除のための監視であるので、時分割による間欠動作による待ち時間は問題になるものではない。
【００２４】
（３）補助電源部から常時光センサに給電するとなると、補助電源部は通常動作モードにおける複数個の光センサを作動に対応できる大きな電源容量が必要となる。このような電源容量の補助電源部は省電力動作モード時には光センサの時分割による間欠動作であるので電源容量の数分の１の給電動作となり電源効率が低下した状態となる。通常動作モードのときは主電源部より光センサに給電することにより補助電源部は省電力動作モードのみに対応可能な小さな電源容量が可能となり、かつ、電源効率の良い状態での作動が可能となる。
【００２５】
（４）複雑な構成を用いることなく、原稿カバーの開放、原稿や記録紙のセット等を検出することができる。
【００２６】
（５）発光素子を駆動するための電力を少なくすることができる。
【００２７】
（６）光センサにおける受光状態の検出に必要な回路の構成を簡易化することができる。
【発明を実施するための最良の形態】
【００２８】
以下、図を用いて本発明の画像形成装置の実施形態であるディジタル複写機を説明する。
【００２９】
図１は、本発明に係る光書込装置が備えられたディジタル複写機１の概略構成を示す。同図に示すように、ディジタル複写機１は、原稿読取部１１０、画像形成部２１０、多段給紙デスク３００、および後処理装置２６０を備えている。
【００３０】
原稿読取部１１０は、透明ガラスからなる原稿台１１１、原稿読取部１１０の上方に配置される自動原稿搬送装置１１２、および原稿台１１１に載置された原稿の画像を読み取る光学系ユニットを備えている。
【００３１】
自動原稿搬送装置１１２は、原稿セットトレイ上にセットされた複数枚の原稿を１枚ずつ自動的に原稿台１１１上へ給送する装置である。また、自動原稿搬送装置１１２は、原稿カバーとしても機能する。
【００３２】
光学系ユニットは、原稿台１１１の下方に配置され、原稿台１１１上に載置された原稿の画像を走査して読み取る。この光学系ユニットは、第１の走査ユニット１１３、第２の走査ユニット１１４、光学レンズ１１５、および光電変換素子であるＣＣＤラインセンサ１１６を有している。
【００３３】
第１の走査ユニット１１３は、原稿面上を露光する露光ランプユニット、原稿からの反射光像を所定の方向に反射させる第１ミラーを備えている。第２の走査ユニット１１４は、第１ミラーから反射されてくる原稿からの反射光をＣＣＤラインセンサ１１６に導く第２ミラーおよび第３ミラーを備えている。光学レンズ１１５は、原稿からの反射光をＣＣＤラインセンサ１１６上に結像させる。ＣＣＤラインセンサ１１６は、原稿からの反射光を光電変換して画像データを生成する。なお、この画像データは、図示しない画像処理部を介して、画像形成部２１０に出力される。
【００３４】
画像形成部２１０の下部には、手差しトレイ２５４、用紙カセット２５１，２５２，２５３、および両面ユニット２５５が備えられている。手差しトレイ２５４、用紙カセット２５１，２５２，２５３、および両面ユニット２５５によって給紙部３００が構成される。
【００３５】
用紙カセット２５１〜２５３、および手差しトレイ２５４のそれぞれから、画像形成位置を経由して後処理装置２６０までの間に用紙搬送路が形成される。また、用紙カセット２５１〜２５３、または手差しトレイ２５４や両面ユニット２５５から給紙された用紙は搬送ローラを有する搬送ユニット２５０を介して画像形成部２１０に供給される。
【００３６】
両面ユニット２５５は、用紙を反転させるスイッチバック路２２１に通じており、用紙の両面に画像形成を行う時に用いられる。なお、両面ユニット２５５は通常の用紙カセットと交換可能な構成となっており、両面ユニット２５５を通常の用紙カセットに置き換えて構成しても良い。
【００３７】
画像形成部２１０は、用紙搬送路に沿って上流側から順番に画像形成ユニット、定着ユニット２１７、および排紙ローラ２１９を備えている。画像形成ユニットは、像担持体としての感光体ドラム２２２、露光装置としての光書込装置２２７、感光体ドラム２２２を所定の電位に帯電させる帯電器２２３、感光体ドラム２２２上に形成された静電潜像にトナーを供給して顕像化する現像器２２４、感光体ドラム２２２表面に形成されたトナー像を用紙に転写するチャージャ方式の転写器２２５、用紙を除電し像担持体２２２から剥離し易くする除電器２２９、余分なトナーを回収するクリーニング器２２６を備えている。
【００３８】
上述の感光体ドラム２２２の周囲において、帯電器２２３、光書込装置２２７、現像器２２４、転写器２２５、除電器２２９、およびクリーニング器２２６によって、帯電処理、露光処理、現像処理、転写処理、および清掃処理が行われる。感光体ドラム２２２および転写器２２５の間に位置する画像形成位置において、画像データに基づいた未定着の現像剤像が用紙の表面に転写される。その後、用紙搬送路における画像形成位置の下流側に配置されている定着ユニット２１７に導かれ、定着ユニット２１７によって、用紙上の未定着の現像剤像が加熱および加圧され用紙に定着する。
【００３９】
定着ユニット２１７の下流側において用紙搬送路は２方向に分岐しており、一方が、用紙の裏面に再度画像を形成するために用紙の前後を反転させるスイッチバック路２２１に通じており、他方が、画像が形成された用紙に対してステープル処理等の後処理を行い昇降トレイ２６１上に用紙を排出する後処理装置２６０に通じている。
【００４０】
本実施形態において、ディジタル複写機１の各部の画像形成準備体勢を検出するために、ディジタル複写機１は６つのフォトインタラプタ４０（４０Ａ〜４０Ｆ）を備えている。フォトインタラプタ４０Ａは、自動原稿搬送装置（原稿カバー）１１２の開閉状態を検出する。フォトインタラプタ４０Ｂは、手差しトレイ２５４上の用紙の有無を検出する。フォトインタラプタ４０Ｃは、自動原稿搬送装置１１２における原稿セットトレイ上の原稿の有無を検出する。フォトインタラプタ４０Ｄ，４０Ｅ，４０Ｆは、用紙カセット２５１，２５２，２５３が所定の位置に装着されているか否かを検出する。本実施形態ではフォトインタラプタ４０（４０Ａ〜４０Ｆ）が本発明の光センサを構成する。
【００４１】
図２は、ディジタル複写機１の構成の概略を示している。
【００４２】
ディジタル複写機１は、電源部２、電源制御部３０、メイン制御部１０、インタフェース部２０、画像読取部１１０、画像形成部２１０、フォトインタラプタ４０、およびＡＣプラグ４を備えている。
【００４３】
画像読取部１１０は、原稿台１１１における原稿読取位置における原稿の画像の読取処理を行う。画像形成部２１０は、入力された画像データに基づく画像形成処理を行う。インタフェース部２０は、外部機器との通信を司る機能を有している。
【００４４】
電源制御部３０は、ＰＩＣ３１を備えており、電源部２における主電源回路６０の起動／停止の切換を行う。本実施形態では主電源回路６０が起動している状態を通常動作モードといい、主電源回路６０が停止している状態を省電力動作モードという。主電源回路６０の主な目的は、ディジタル複写機１の動作状態に応じて、通常動作モードまたは省電力動作モードのいずれかに切り換えることである。
【００４５】
電源部２は、補助電源回路５０および主電源回路６０を備えている。補助電源回路５０は、主電源回路６０による電力の供給が停止している省電力動作モード時において、電源制御部３０に電力を供給する。主電源回路６０は、メイン制御部１０を含むディジタル複写機１の各部に対する電力供給を行う。
【００４６】
メイン制御部１０は、ＣＰＵ１１、ＲＯＭ１２、ＲＡＭ１３を備えており、ディジタル複写機１の各部を総括的に制御する。メイン制御部１０は、上述の電源部２、電源制御部３０、インタフェース部２０、画像読取部１１０、画像形成部２１０、および給紙部３００のそれぞれに接続されている。
【００４７】
メイン制御部１０は電源制御部３０を介して主電源回路６０の起動／停止の切換制御を行う。メイン制御部１０は、主電源回路６０を停止させるときに、電源制御部３０に対して所定の信号（ＰＳバー信号）を出力する。
【００４８】
メイン制御部１０は、ユーザからのコマンドがなく、処理すべきジョブが存在しない状態が所定の時間以上継続すると、コマンド待機時の消費電力を軽減するために省電力動作モード時に移行させる。この省電力動作モード時において、通常動作モードに復帰するトリガとなる操作がされるまで、主電源回路６０の動作が停止する。
【００４９】
図３は、電源装置２の主要部の構成を示している。商用電源７０は、メインスイッチ７２、平滑回路７１を介して補助電源回路５０に接続される。
【００５０】
メインスイッチ７２は、ディジタル複写機１の主電源のオン／オフを切り換えるためのスイッチである。平滑回路７１は、整流・平滑動作を行う回路であり、ダイオードブリッジおよびコンデンサを備えている。補助電源回路５０の電力供給端子は、接地されたリレーコイル７５および電源制御部３０にそれぞれ接続されている。
【００５１】
また、商用電源７０は、メインスイッチ７２、トライアック７３、リレー接点７４、および平滑回路７１を介して主電源回路６０に接続される。トライアック７３は、そのゲートが主電源回路６０に接続されている。リレー接点７４は、リレーコイル７５によって閉成／開放が切り換えられるノーマル・オープンのリレー接点である。トライアック７３およびリレー接点７４は、並列に接続されており、それぞれメインスイッチ７２および平滑回路７１に接続されている。
【００５２】
主電源回路６０は、ＭＰＳ信号入力端子７６を備えている。ＭＰＳ信号入力端子７６は、主電源回路６０をオンにするローレベルの信号（ＭＰＳ−ＯＮ信号）および主電源回路６０をオフするハイレベルの信号（ＭＰＳ−ＯＦＦ信号）の入力を受け付ける。
【００５３】
また、主電源回路６０の電力供給端子は、トライアック７３のゲートおよびメイン制御部１０にそれぞれ接続されている。
【００５４】
同図に示す構成において、メインスイッチ７２がオンになるとディジタル複写機１が起動する。起動時には、まず、商用電源７０から平滑回路７１を経由して補助電源回路５０に電流が流れる。続いて、補助電源回路５０の電力供給端子からリレーコイル７５に電力が供給される。リレーコイル７５に電流が流れることにより、リレー接点７４が閉成する。リレー接点７４が閉成すると、商用電源７０からリレー接点７４および平滑回路７１を経由して主電源回路６０に電流が流れる。
【００５５】
続いて、主電源回路６０の電力供給端子からトライアック７３のゲートに電力が供給されトライアック７３が導通する。また、主電源回路６０の電力供給端子からメイン制御部１０に対する電流の供給が開始され、ディジタル複写機１が動作を開始する。
【００５６】
図４は、主電源回路６０の要部の構成を示している。主電源回路６０において、主巻線６８および副巻線６９によってスイッチングトランスが構成される。主巻線６８の一次側は、スイッチングトランジスタ６２を介して接地される。主巻線６８の２次側は、ダイオード６４Ａのアノードに接続されており、ダイオード６４Ａのカソードは、接地されたコンデンサ６４Ｂおよび電力供給端子に接続されている。
【００５７】
コンデンサ６４Ｂと電力供給端子と間の接続部は、抵抗６３、ツェナーダイオード６４、発光ダイオード６６を介して接地されている。
【００５８】
スイッチングトランジスタ６２のゲートは、エミッタが接地されたフォトトランジスタ６７および副巻線６９に接続される。トランジスタ６７トランジスタ６７のコレクタは、インバータ６１を介して、ＭＰＳ信号入力端子７６に接続されている。ＭＰＳ信号入力端子７６およびインバータ６１の間の接続部は、プルアップ抵抗４７を介して補助電源回路５０に接続されている。
【００５９】
ＭＰＳ−ＯＮ信号（ローレベル）がＭＰＳ信号入力端子７６に入力されると、オープンコレクタのインバータ６１とフォトトランジスタ６７との間の接続部がハイインピーダンス状態となり、スイッチングトランジスタ６２のゲートの強制接地が解除される。このため、スイッチングトランスからスイッチングトランジスタ６２のゲートに入力される帰還信号が有効となりスイッチング発振が行われる。このスイッチング発振により、主巻線６８の２次側から電力供給端子を介してメイン制御部１０に電力の供給が行われる。
【００６０】
コンデンサ６４Ｂと電力供給端子との間の接続部の電位が、所定の電位に達すると、抵抗６３およびツェナーダイオード６５を介して発光ダイオード６６に電力が流れる。この結果、フォトトランジスタ６７がオンになり、スイッチングトランジスタ６２のゲートが強制接地され、スイッチングトランスの発振が停止する。このようにスイッチング発振のオン／オフを切り換えることにより、主電源回路６０からメイン制御部１０に過不足なく電力供給がされる。
【００６１】
一方で、ＭＰＳ−ＯＦＦ信号（ハイレベル）がＭＰＳ信号入力端子７６に入力されると、スイッチングトランジスタ６２のゲートが強制接地され、スイッチングトランスのスイッチング発振が停止する。
【００６２】
例えば、通常動作モード時において、電源制御部３０からＭＰＳ信号入力端子７６にＭＰＳ−ＯＦＦ信号が入力されると、スイッチングトランスのスイッチング発振が停止する。また、省電力動作モード時において、電源制御部３０からＭＰＳ信号入力端子７６にＭＰＳ−ＯＮ信号が入力されると、スイッチングトランスのスイッチング発振が開始される。
【００６３】
電源制御部３０は、ディジタル複写機１の動作状態に応じて、ＭＰＳ−ＯＮ信号またはＭＰＳ−ＯＦＦ信号をＭＰＳ信号入力端子７６に出力する。通常、ディジタル複写機１において所定の設定時間以上にわたってコマンド等の入力がされない状態が継続した場合には、メイン制御部１０から電源制御部３０にＰＳバー信号が出力され、有効なＰＳバー信号を受け付けた電源制御部３０がＭＰＳ−ＯＦＦ信号をＭＰＳ信号入力端子７６に出力する。
【００６４】
図５は、電源制御部３０、フォトインタラプタ４０、および電源部２の接続状態を示している。
【００６５】
フォトインタラプタ４０（４０Ａ〜４０Ｂ）は、２つのグループに分けられており、フォトインタラプタ４０Ａ，４０Ｃ，４０Ｅが第１のグループに属し、フォトインタラプタ４０Ｂ，４０Ｄ，４０Ｆが第２のグループに属する。第１のグループに属するフォトインタラプタ４０Ａ，４０Ｃ，４０Ｅは、端子Ｏ１を介して補助電源回路５０に接続されており、第２のグループに属するフォトインタラプタ４０Ｂ，４０Ｄ，４０Ｆは、端子Ｏ２を介して補助電源回路５０に接続されている。
【００６６】
ここでは、フォトインタラプタ４０を２つのグループに分けているが、フォトインタラプタ４０を３以上のグループに分けるようにしても良い。
【００６７】
各フォトインタラプタ４０は、抵抗４４，４５、ダイオード４３，４６、発光ダイオード４１、フォトトランジスタ４２を備えている。
【００６８】
抵抗４５（４５Ａ，４５Ｃ，４５Ｅ）は一端が端子Ｏ１（第１グループ）に接続され、抵抗４５（４５Ｂ，４５Ｄ，４５Ｆ）は一端が端子Ｏ２（第２グループ）に接続される。抵抗４５の他端は、ダイオード４６および発光ダイオード４１を介して接地される。ダイオード４６および発光ダイオード４１の間の接続部は、ダイオード４３および抵抗４４を介して主電源回路６０の電力供給端子に接続される。
【００６９】
フォトトランジスタ４２のエミッタは接地されており、コレクタがメイン制御部１０に接続されている。また、フォトトランジスタ４２のコレクタは、ダイオード３３を介して信号入力端子Ｐ（Ｐ１，Ｐ２，Ｐ３）に接続される。信号入力端子Ｐ１には、フォトインタラプタ４０Ａ，４０Ｂにおけるフォトトランジスタ４２のコレクタが接続され、信号入力端子Ｐ２には、フォトインタラプタ４０Ｃ，４０Ｄにおけるフォトトランジスタ４２のコレクタが接続され、信号入力端子Ｐ３には、フォトインタラプタ４０Ｅ，４０Ｆにおけるフォトトランジスタ４２のコレクタが接続される。
【００７０】
各信号入力端子Ｐの前段において、第１のグループおよび第２グループのフォトトランジスタ４２のコレクタが接続されワイアードＯＲが構成される。各信号入力端子Ｐの前段の接続部に接続されるフォトトランジスタ４２の数は、グループの数と同じになる。この接続部は、プルアップ抵抗３４を介して補助電源回路５０に接続される。この結果、フォトトランジスタ４２がオフの状態では各信号入力端子Ｐにハイレベルの信号が入力され、フォトトランジスタ４２がオンの状態では各信号入力端子Ｐにローレベルの信号が入力される。
【００７１】
本実施形態では、発光ダイオード４１が本発明の発光素子を構成し、フォトトランジスタ４２が本発明の受光素子を構成する。発光ダイオード４１およびフォトトランジスタ４２の間には、図示しない遮光部材が配置されている。この遮光部材は、ディジタル複写機１の各部における画像形成準備体勢の変化に応じて変位する。遮光部材の変位により、発光ダイオード４１が発する光が遮光または透過され、フォトトランジスタ４２の受光状態が変化する。
【００７２】
各フォトトランジスタ４２は、メイン制御部１０の入力部と抵抗１５を介して接続される。抵抗１５は、カソードが主電源回路６０に接続されたダイオード１４のアノードに接続される。このように、メイン制御部１０の入力部は、ダイオード１４を介して主電源回路６０に接続される。ここでは、抵抗１５およびダイオード１４によりラッチアップ防止回路が構成される。
【００７３】
通常動作モードでは、主電源回路６０からすべてのフォトインタラプタ４０における発光ダイオード４１に電力が供給され、各フォトインタラプタ４０におけるフォトトランジスタ４２の受光状態の検出がメイン制御部１０によって行われる。
【００７４】
省電力動作モード時には、各フォトインタラプタ４０におけるフォトトランジスタ４２の受光状態の検出が電源制御部３０によって行われる。省電力動作モード時には、電源制御部３０は、端子Ｏ１または端子Ｏ２のいずれかを導通させ、他の端子をハイインピーダンスにする。グループの数に応じて端子Ｏの数が増加する場合には、電源制御部３０は、いずれか１つの端子Ｏを導通させ、それ以外の端子Ｏをハイインピーダンスにする。
【００７５】
端子Ｏ１を導通させたときの信号入力端子Ｐ１，Ｐ２，Ｐ３の入力信号を検出することにより、フォトインタラプタ４０Ａ，４０Ｃ，４０Ｅにおけるフォトトランジスタ４２の受光状態が検出される。一方、端子Ｏ２を導通させたときの信号入力端子Ｐ１，Ｐ２，Ｐ３の入力信号を検出することにより、フォトインタラプタ４０Ｂ，４０Ｄ，４０Ｆにおけるフォトトランジスタ４２の受光状態が検出される。
【００７６】
通常動作モードから省電力動作モードに移行する際に、メイン制御部１０から各フォトトランジスタ４２の受光状態を示す情報が電源制御部３０に与えられ、ＰＩＣ３１に記憶される。ＰＩＣ３１は、信号入力端子Ｐに順次入力される信号を検出し、各フォトインタラプタ４０におけるフォトトランジスタ４２の受光状態が省電力動作モードに移行時の受光状態と変化しているか否かを判断する。例えば、省電力動作モード時にユーザが原稿カバーを開放したり、原稿台に原稿を載置したり、手差しトレイに用紙をセットしたり、用紙カセットの出し入れを行うと、これらの動作により遮光部材が移動し、フォトトランジスタ４２の受光状態が変化する。
【００７７】
ＰＩＣ３１が各フォトインタラプタ４０における受光状態の変化を検出すると、電源制御部３０はＭＰＳ−ＯＮ信号を主電源回路６０のＭＰＳ信号入力端子７６に対して出力する。
【００７８】
このように、図５の構成によれば、各フォトインタラプタ４０を少ない電力にてフォトインタラプタ４０およびＰＩＣ３１を駆動しつつ、各フォトインタラプタ４０の検出結果の変化をトリガとして省電力動作モードの解除を行うことができる。
【００７９】
図６は、電源制御部３０、フォトインタラプタ４０′、および電源部２の接続状態の他の例を示している。図６におけるフォトインタラプタ４０′の構成は基本的には図５におけるフォトインタラプタ４０の構成と同様である。図６におけるフォトインタラプタ４０′は、同一グループに属するフォトインタラプタ４０の発光ダイオード４１が直列接続されている点が図５におけるフォトインタラプタ４０と相違する。
【００８０】
フォトインタラプタ４０Ａ′，４０Ｂ′は、発光ダイオード４１、フォトトランジスタ４２、ダイオード４３，４６′、抵抗４４，４５′備えている。フォトインタラプタ４０Ｃ，４０Ｄ，４０Ｅ，４０Ｆは、発光ダイオード４１およびフォトトランジスタ４２を備えている。
【００８１】
フォトインタラプタ４０Ａにおいて、発光ダイオード４１のアノードは、ダイオード４６′および抵抗４５′を介して補助電源回路５０に接続されている。発光ダイオード４１およびダイオード４６′の間の接続部は、ダイオード４３および抵抗４４を介して主電源回路６０に接続される。発光ダイオード４１Ａカソードは、フォトインタラプタ４０Ｃ′における発光ダイオード４１Ｃアノードに接続され、発光ダイオード４１Ｃのカソードは、フォトインタラプタ４０Ｅ′における発光ダイオード４１Ｅのアノードに接続される。発光ダイオード４１Ｅのカソードは端子Ｏ１に接続される。同様に、フォトインタラプタ４０Ｂ′における発光ダイオード４１Ｂは、フォトインタラプタ４０Ｄ′における発光ダイオード４１Ｄおよびフォトインタラプタ４０Ｆ′における発光ダイオード４１Ｆを介して端子Ｏ２に接続される。
【００８２】
図６の構成では、図５の構成に比較して必要となる素子の数が減っている。また、同一グループに属する発光ダイオード４１を直列接続しているため、フォトトランジスタ４２による画像形成準備体勢の検出時の消費電力が図５の構成に比較して少なくなっている。
【００８３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００８４】
【図１】本発明に係る画像形成装置の構成の概略を示す図である。
【図２】画像形成装置の構成の概略を示すブロック図である。
【図３】画像形成装置に備えられる電源部の構成を示す図である。
【図４】電源部における主電源回路の構成を示す図である。
【図５】電源制御部、フォトインタラプタ、および電源部の接続状態を示す図である。
【図６】画像形成装置に備えられる電源回路の構成の概略を示す図である。
【符号の説明】
【００８５】
１−ディジタル複写機
２−電源部
１０−メイン制御部
２０−インタフェース部
３０−電源制御部
４０（４０Ａ〜４０Ｆ）−フォトインタラプタ
４１（４１Ａ〜４１Ｆ）−発光ダイオード
４２（４２Ａ〜４２Ｆ）−フォトトランジスタ
【図１】
2005275154.tif 000003
【図２】
2005275154.tif 000004
【図３】
2005275154.tif 000005
【図４】
2005275154.tif 000006
【図５】
2005275154.tif 000007
【図６】
2005275154.tif 000008